(57)【特許請求の範囲】
【請求項１】
走行のための動力の少なくとも一部に電力を用いる車両が備えるバッテリーのうちで、車両の走行のための駆動部に供給される電力分である主バッテリーと、
前記車両の窓を昇温する昇温手段と、
前記バッテリーのうちで前記昇温手段に供給される電力分である副バッテリーと、
前記車両の駆動部が停止しており、前記副バッテリーに接続されたプラグが商用電力のコンセントに装着された状態で、電力料金が相対的に安価な安価時間帯に、前記副バッテリーを充電する充電制御手段と、
使用者が携帯可能で通信機能を有する携帯装置に備えられた、前記昇温手段による昇温処理の実行を指令する指令手段と、
その指令手段から前記昇温処理の実行の指令を受けたときに、前記車両の駆動部が停止した状態で、前記安価時間帯に属しない時刻ならば、前記副バッテリーに蓄えられた電力を用いて前記昇温手段を駆動する昇温制御手段と、
を備えたことを特徴とする制御装置。
【請求項２】
前記昇温制御手段は、前記車両の駆動部が停止しており、前記プラグが前記コンセントに装着された状態で、前記安価時間帯に属する時刻ならば、前記コンセントから供給される電力を用いて前記昇温手段を駆動する請求項１に記載の制御装置。
【請求項３】
前記昇温手段は、前記車両のフロントガラスに沿って温風を供給してフロントガラスを昇温するデフロスタ手段を含む請求項１又は２に記載の制御装置。
【請求項４】
前記昇温手段は、前記車両のリアガラスに配置した抵抗回路に電流を流してリアガラスを発熱させるデフォッガ手段を含む請求項１乃至３のいずれか１項に記載の制御装置。
【請求項５】
前記昇温制御手段によって前記副バッテリーに蓄えられた電力を用いて前記昇温手段を駆動している途中に前記副バッテリーの電力残量がゼロとなったら、前記昇温手段を駆動する電力を商用電力のコンセントから供給される電力に切り替える切替手段を備えた請求項１乃至４のいずれか１項に記載の制御装置。
【発明の詳細な説明】
【技術分野】
【０００１】
本発明は、制御装置に関する。
【背景技術】
【０００２】
従来から自動車車両に装備された空調装置の性能を向上させるための各種提案がある。例えば下記特許文献１では、乗員の体温を測定する手段を備えて、乗車前に乗員の体温を測定して、その体温に基づいてプレ空調（乗員が車両に乗り込む前、あるいはイグニションオフ時の空調）を実行する技術が開示されている。
【先行技術文献】
【特許文献】
【０００３】
【特許文献１】特開２００６−２４０４３８号公報
【発明の概要】
【発明が解決しようとする課題】
【０００４】
電気自動車（ＥＶ：Ｅｌｅｃｔｒｉｃ  Ｖｅｈｉｃｌｅ）やプラグインハイブリッド車（ＰＨＶ：Ｐｌｕｇ−Ｉｎ  Ｈｙｂｒｉｄ  Ｖｅｈｉｃｌｅ）では通常、駐車中に充電を行うので、駐車中の電力消費に制約がかからない。したがって例えば冬季の屋外駐車時にヒータやデフォッガなど電力を多く必要とする装置を駆動して、乗車前に窓に付着した霜や雪を除去することも可能である。その場合ユーザが車外から指令できれば利便性が高いと考えられる。
【０００５】
さらに、電力料金が安価な夜間電力時間帯を利用することが考えられる。出発時間が夜間電力時間帯以外の場合のために、車両の動力用とは別に、ヒータやデフォッガ用のサブバッテリーを設けて夜間電力時間帯に充電しておく構成が考えられる。
【０００６】
従来技術には、冬季の屋外駐車時などにユーザが車外から指令してヒータやデフォッガを作動させ、さらにヒータやデフォッガ用のサブバッテリーを装備して、夜間電力時間帯に充電するといった技術の提案はない。
【０００７】
そこで本発明が解決しようとする課題は、上記問題点に鑑み、ＥＶやＰＨＶの冬季の屋外駐車時に、窓に付着した霜や雪を除去するためにヒータやデフォッガなどを車外から指令して駆動させることができ、さらに、その駆動用にサブバッテリーを装備して安価な夜間電力を利用することができる制御装置を提供することにある。
【課題を解決するための手段及び発明の効果】
【０００８】
上記課題を達成するために、本発明に係る制御装置は、走行のための動力の少なくとも一部に電力を用いる車両が備えるバッテリーのうちで、車両の走行のための駆動部に供給される電力分である主バッテリーと、前記車両の窓を昇温する昇温手段と、前記バッテリーのうちで前記昇温手段に供給される電力分である副バッテリーと、前記車両の駆動部が停止しており、前記副バッテリーに接続されたプラグが商用電力のコンセントに装着された状態で、電力料金が相対的に安価な安価時間帯に、前記副バッテリーを充電する充電制御手段と、使用者が携帯可能で通信機能を有する携帯装置に備えられた、前記昇温手段による昇温処理の実行を指令する指令手段と、その指令手段から前記昇温処理の実行の指令を受けたときに、前記車両の駆動部が停止した状態で、前記安価時間帯に属しない時刻ならば、前記副バッテリーに蓄えられた電力を用いて前記昇温手段を駆動する昇温制御手段と、を備えたことを特徴とする。
【０００９】
これにより本発明に係る制御装置では、車両に主バッテリーと副バッテリーとを備えて、主バッテリーは車両の駆動部のための電力を、副バッテリーは車両の停止時における車両の窓の昇温のための電力を蓄える。そして副バッテリーは電力が安価な時間帯に充電し、安価な時間帯外の車両停止時にユーザが携帯装置から指令すると、副バッテリーに蓄えられた電力で車両の窓の昇温を実行する。したがって携帯装置からの指令で、安価な電力を有効に利用して車両の窓を昇温するので、例えば車外からの指令で安価に車両の窓に付着した雪や霜の除去が実行できる。
【００１０】
また前記昇温制御手段は、前記車両の駆動部が停止しており、前記プラグが前記コンセントに装着された状態で、前記安価時間帯に属する時刻ならば、前記コンセントから供給される電力を用いて前記昇温手段を駆動するとしてもよい。
【００１１】
これにより上記のとおり安価な時間帯外に車両停止時にユーザが携帯装置から指令すると、副バッテリーに蓄えられた電力で車両の窓の昇温を実行するとともに、安価な時間帯に指令されると、商用電力を用いて車両の窓の昇温を実行する。したがってユーザからの指令を受けた時間が電力が安価な時間帯か否かで適切に切替えて、車両の窓の昇温を実行して、車両の窓に付着した雪や霜の除去が実行できる。
【００１２】
また前記昇温手段は、前記車両のフロントガラスに沿って温風を供給してフロントガラスを昇温するデフロスタ手段を含むとしてもよい。
【００１３】
これによりユーザが例えば車外から指令することにより、安価な電力を使用しながらデフロスタ手段を駆動して、フロントガラスに付着した雪や霜を安価に除去できる。
【００１４】
また前記昇温手段は、前記車両のリアガラスに配置した抵抗回路に電流を流してリアガラスを発熱させるデフォッガ手段を含むとしてもよい。
【００１５】
これによりユーザが例えば車外から指令することにより、安価な電力を使用しながらデフォッガ手段を駆動して、リアガラスに付着した雪や霜を安価に除去できる。
【００１６】
また前記昇温制御手段によって前記副バッテリーに蓄えられた電力を用いて前記昇温手段を駆動している途中に前記副バッテリーの電力残量がゼロとなったら、前記昇温手段を駆動する電力を商用電力のコンセントから供給される電力に切り替える切替手段を備えたとしてもよい。
【００１７】
これにより車両の窓の昇温の途中で副バッテリーが残量ゼロとなったら、商用電力に切り替えるので、柔軟に電力供給元を切替えて、車両の窓に付着した雪や霜を安価に除去できる。
【図面の簡単な説明】
【００１８】
【図１】本発明の実施形態における制御装置の構成図。
【図２】エアコン部の構造例を示す図。
【図３】サブバッテリーの充電処理例を示すフローチャート。
【図４】ヒータ、デフォッガの駆動処理例を示すフローチャート。
【発明を実施するための形態】
【００１９】
以下、本発明の実施形態を図面を参照しつつ説明する。まず図１、図２は、本発明の実施例に係る車両用の空調システム１の概略構成図である。空調システム１は自動車車両に装備し、車両は例えばＥＶまたはＰＨＶとすればよい。
【００２０】
同図のとおり空調システム１は、主にエアコンＥＣＵ２、照合ＥＣＵ３、エアコン部４、リモコンキー５（携帯機）、バッテリーＥＣＵ６、計時部７、モータ８を備える。エアコンＥＣＵ２、照合ＥＣＵ３、バッテリーＥＣＵ６、計時部７は多重通信バス９（バス）により接続されて各種情報の受け渡しが可能なように構成されている。
【００２１】
エアコンＥＣＵ２は、各種演算など情報処理のためのＣＰＵ２００、ＣＰＵ２００の作業領域としてのＲＡＭ２０１、各種情報を記憶するための不揮発性メモリ２０２を備える。エアコンＥＣＵ２は通信インターフェイス部２０３（Ｉ／Ｆ）を介して多重通信バス９と接続されている。エアコンＥＣＵ２はＣＰＵ２００、ＲＡＭ２０１、不揮発性メモリ２０２、Ｉ／Ｆ２０３、Ｉ／Ｏ２０４がバスによって接続されて情報の受け渡しが可能となっている。
【００２２】
図１のとおり、エアコンＥＣＵ２はＩ／Ｏ２０４を介して、表示部４１０、入力部４１１、ヒータ４０５、デフォッガ４２０、吹出口切替ダンパ４００等と接続されており、これらに駆動を指令する。さらに図２に示されているとおり、車両のエアコン部４は、内外気切替ダンパ４０１、エアミックスダンパ４０２、ブロアファン４０３、エバポレータ４０４、ヒータコア４０５を備える。なお図１に示されているエアコンＥＣＵ２とエアコン部４との接続関係は本発明に関する部分のみで他は省略されている。
【００２３】
吹出口切替ダンパ４００は、車室内のエアコンの吹出し口（例えばフェイス、フット、デフロスタ）を切り替えるために、個々の吹出し口の開閉状態を決めるダンパである。このうちデフロスタ吹出口は、車両のフロントガラスの内面下縁の近傍のインパネ上方奥に形成されており、このデフロスタ吹出口から温風が吹き出されることにより、フロントガラス内面にそって温風が流れてフロントガラスを昇温して、フロントガラスの曇りやフロントガラスに付着した霜や雪が除去される。
【００２４】
内外気切替ダンパ４０１は、車内の空気を循環させるための内気吸込口と車外の空気を取り込むための外気吸込口とを切り替えるダンパである。エアミックスダンパ４０２は、エバポレータで冷却された冷気と、その下流のヒータコア４０５で加熱された暖気との混合比率を決めるダンパである。
【００２５】
ブロアファン４０３の回動によって空調風が形成される。エバポレータ４０４では、車両のエンジンによって駆動されたコンプレッサ（図示せず）によって圧縮された冷媒ガスがエバポレータ４０４内へ噴出されて気化することによって周囲の熱が奪われる。こうしてエバポレータ４０４がブロワファンによる空気流を冷却する。
【００２６】
ヒータコア４０５（ヒータ）は、エンジンを冷却することによって昇温した冷却水の熱を用いて空気流を昇温させる。以上のとおりエバポレータ４０４は冷房機能を有し、ヒータコア４０５は暖房機能を有する。上述のとおり、エアミックスダンパ４０２の開度によって、エバポレータで冷却された冷気と、ヒータコア４０５で加熱された暖気との混合比率を決定して、温度調節を行う。
【００２７】
車両のリアガラス（後部ガラス）にはデフォッガ４２０（リアデフロスタ）が装備されている。デフォッガ４２０はリアガラス内面に設けられた抵抗回路として構成され、そこに電流を流すことにより発熱して、リアガラスの曇り、さらにはリアガラスに付着した霜や雪が除去される。
【００２８】
エアコンＥＣＵ２は、例えば液晶表示部（ＬＣＤ）である表示部４１０を用いてユーザに向けてエアコンに関する各種情報を表示する。また入力部４１１によってユーザからの希望温度設定などの各種入力を受け付ける。表示部４１０や入力部４１１は例えば車室内のインパネ正面下部などに配置されたエアコン操作パネルのなかに配置される。
【００２９】
次に照合ＥＣＵ３は、照合処理などの情報処理のためのＣＰＵ３００、ＣＰＵ３００の作業領域としてのＲＡＭ３０１、各種情報を記憶するためのＲＯＭ３０２を備える。照合ＥＣＵ３は通信インターフェイス部３０３（Ｉ／Ｆ）を介して多重通信バス９と接続されている。照合ＥＣＵ３は以上のＣＰＵ３００、ＲＡＭ３０１、ＲＯＭ３０２、Ｉ／Ｆ３０３、無線通信部３０４がバスによって接続されて情報の受け渡しが可能となっている。無線通信部３０４は、リモコンキー５との無線通信のために装備されている。
【００３０】
次に、リモコンキー５は、ＣＰＵ５００、ＲＡＭ５０１、ＲＯＭ５０２、無線通信部５０３、ロックボタン５０４、アンロックボタン５０５、デフォッガ作動ボタン５０６、表示ランプ５０７を備える。ＣＰＵ５００は各種の情報処理を実行する。ＲＡＭ５０１はＣＰＵ５００の作業領域としての記憶部である。ＲＯＭ５０２は各種情報を記憶するために装備される。
【００３１】
無線通信部５０３は、照合ＥＣＵ３との無線通信のために装備されている。ロックボタン５０４は車両の乗員が車両のドアを施錠（ロック）するときに押下（オン操作）するボタンであり、アンロックボタン５０５は車両の乗員が車両のドアを開錠（アンロック）するときに押下（オン操作）するボタンである。デフォッガ作動ボタン５０６は、車両の乗員が車外からあるいは車室内でオンすることにより、デフォッガ４２０やヒータ４０５を作動して車両のフロントガラスやリアガラスに付着した霜や雪を除去する処理を指令するボタンである。表示ランプ５０７は例えば発光ダイオード（ＬＥＤ）により構成されて、後述するようにヒータ４０５、デフォッガ４２０が作動している間点灯する。表示ランプ５０７が点灯することにより、ユーザにヒータ４０５、デフォッガ４２０が作動していることを報知する。
【００３２】
照合ＥＣＵ３とリモコンキー５との間の照合処理は以下のように実行される。照合ＥＣＵ３の無線通信部３０４は、車両の周辺の空間に向けて、識別信号の返信を求めるポーリング信号（要求信号）を無線送信する。リモコンキー５がポーリング信号の到達範囲内にある場合は、無線通信部５０３がポーリング信号を受信する。
【００３３】
そしてポーリング信号を受信したリモコンキー５は、例えばＲＯＭに記憶されている識別信号（ＩＤコード）を無線通信部５０３から送信する。照合ＥＣＵ３の無線通信部３０４は、リモコンキー５から送信された識別信号を受信する。例えばＲＯＭ３０２にはリモコンキー５から送信された識別信号と照合するためのマスター信号（マスターＩＤ、参照信号）が記憶されているとする。そして照合ＥＣＵ３では、受信したＩＤコードとマスターＩＤとを照合し、一致したら照合を終了する。照合がＯＫとなればユーザがアンロックボタン５０５を押下することにより車両のドアが開錠される。
【００３４】
次にバッテリーＥＣＵ６は、バッテリー制御に関する各種の情報処理を実行するＣＰＵ６００、ＣＰＵ６００の作業領域としての一時記憶部であるＲＡＭ６０１、各種情報を記憶するためのＲＯＭ６０２、を装備する。バッテリーＥＣＵ６は、Ｉ／Ｆ６０３を介してバス９と接続されている。またバッテリーコントローラ６０４は、バッテリーの充放電に関する各種制御を行う。
【００３５】
本実施例ではバッテリーをメインバッテリー６０６、サブバッテリー６０７の２個装備し、バッテリーコントローラ６０４で、この２個のバッテリーを制御する。主にメインバッテリー６０６は車両の走行のための駆動部であるモータ８に電力を供給することを目的とし、サブバッテリー６０７は、本発明の主要目的である車両停止時におけるガラスの霜や雪の除去のために電力を供給する。メインバッテリー６０６、サブバッテリー６０７の充電はプラグ６０５を介して商用電力から行われる。また計時部７は、現在時刻を算出する。モータ８は、電力が供給されて、車両の走行のための駆動力を発生させる電気的モータとする。
【００３６】
以上の構成のもとで空調システム１は、リモコンキー５を用いて例えば車両外部にいる乗員からデフォッガ作動指令が出されると、ヒータ４０５やデフォッガ４２０を駆動して車両のガラスに付着した霜や雪などを除去する制御を実行する。この処理の電力は、商用電力を直接使用する場合と、サブバッテリー６０６から供給する場合とがある。サブバッテリー６０６の充電は電力料金が安価な時間帯に自動的に実行する。
【００３７】
これらの処理手順が図３、図４に示されている。図３、４の処理手順はプログラム化して予め例えば不揮発性メモリ２０２などに記憶しておき、ＣＰＵ２００、３００、５００が協働して、これを自動的に実行するとすればよい。
【００３８】
図３のフローチャートはサブバッテリー６０７の充電処理手順を示している。図３の処理は車両の駆動部が停止中（つまりエンジン（モータ８）が停止中）に実行する。図３の処理ではまず、Ｓ１０で深夜時間帯であるか否かを判定する。ここで深夜時間帯とは、車両の充電を実行する地域の電力会社における電力料金が安価な（主に深夜の）時間帯を指す。
【００３９】
Ｓ１０の判定では、計時部７により算出された現在時刻を取得して用いる。また深夜時間帯の情報は、例えばユーザが予め調べておき、入力部４１１を用いて入力した数値（例えば深夜時間帯の開始時刻と終了時刻）を不揮発性メモリ２０２（例えばＥＥＰＲＯＭ）に記憶しておけばよい。現在時刻が深夜時間帯内である場合（Ｓ１０：ＹＥＳ）はＳ２０に進み、現在時刻が深夜時間帯外である場合（Ｓ１０：ＮＯ）は図３の処理を終了する。
【００４０】
次にＳ２０でプラグ６０５が商用電源のコンセントに装着されているか否かを判定する。例えばバッテリーコントローラ６０４に、流れる電流値などからプラグの装着を検出する機能を持たせておく。プラグ６０５が商用電源のコンセントに装着されている場合（Ｓ２０：ＹＥＳ）はＳ３０に進み、プラグ６０５が装着されていない場合（Ｓ２０：ＮＯ）は図３の処理を終了する。
【００４１】
Ｓ３０に進んだら、サブバッテリー６０７の充電を実行する。ただしサブバッテリー６０７がフル充電状態であれば充電を行わなくてよい。なお深夜時間帯においてメインバッテリー６０６の充電を実行している場合もあるが、バッテリーコントローラ６０４には、メインバッテリー６０６とサブバッテリー６０７の同時充電の機能を持たせるとすればよく、Ｓ３０ではメインバッテリー６０６とサブバッテリー６０７の同時充電を実行すればよい。
【００４２】
次に図４を説明する。図４に示された処理は、車両停止中に、車外からヒータやデフォッガを作動してフロントガラスやリアガラスの霜や雪を除去する処理手順である。なお以下では、フロントガラスやリアガラスの霜や雪を除去する処理を、略して防霜処理と呼称する場合がある。
【００４３】
図４の処理ではまずＳ１００で、エンジン停止状態か否かを判定する。ここでエンジン停止状態とは、車両のエンジン、あるいはモータ８が停止状態であることとする。エンジン停止状態の場合（Ｓ１００：ＹＥＳ）はＳ１１０に進み、エンジンが停止していない場合（Ｓ１００：ＮＯ）は図４の処理を終了する。
【００４４】
Ｓ１１０では、プラグ６０５が商用電源のコンセントに装着されているか否かを判定する。プラグ６０５が商用電源のコンセントに装着されている場合（Ｓ１１０：ＹＥＳ）はＳ１２０に進み、プラグ６０５が装着されていない場合（Ｓ１１０：ＮＯ）は図４の処理を終了する。
【００４５】
Ｓ１２０ではユーザによりデフォッガ作動ボタン５０６のオン操作がなされたか否かを判定する。デフォッガ作動ボタン５０６のオン操作がなされた場合（Ｓ１２０：ＹＥＳ）はＳ１３０に進み、オン操作がなされていない場合（Ｓ１２０：ＮＯ）はオン操作がされるまで待つ。
【００４６】
なお車両がデフォッガ作動指令を受け付けるためには、その前に上述のリモコンキー５の認証（照合）が終了していることが条件となる。照合が終了したら照合ＥＣＵ３はコマンド待ち状態となり、ユーザがデフォッガ作動ボタン５０６をオン操作すると、上述の無線通信部５０３、３０４を通じて車両にデフォッガ作動指令が伝達される。
【００４７】
Ｓ１３０では、深夜時間帯であるか否かを判定する。現在時刻が深夜時間帯内である場合（Ｓ１３０：ＹＥＳ）はＳ１４０に進み、現在時刻が深夜時間帯外である場合（Ｓ１３０：ＮＯ）はＳ１６０に進む。上述のＳ１０と同様に、現在時刻は計時部７から取得し、深夜時間帯の情報はユーザが入力して不揮発性メモリ２０２に記憶されている情報を取得する。
【００４８】
Ｓ１４０に進んだら、ヒータやデフォッガ駆動用の電力を、サブバッテリー６０７の電力ではなく、プラグ６０５から取得している電力の方に設定する（あるいは切り替える）。
【００４９】
次にＳ１５０で、プラグ６０５から取得している電力を用いてヒータやデフォッガを駆動する。具体的には、以下の処理を行って車両のフロントガラスとリアガラスを昇温する。まずヒータ４０５を作動させ、同時にブロワファン４０３も駆動して、温風流を形成する。そして吹出口切替ダンパ４００を駆動してデフロスタ吹出口を開口して、そこから温風流をフロントガラス内面に接触するように流す。
【００５０】
またデフォッガ４２０も駆動する。具体的には、リアガラス内面に形成された抵抗回路であるデフォッガ４２０に電流を流してリアガラスを昇温する。これらの処理によって車両のフロントガラスとリアガラスとに付着した霜や雪が除去される。
【００５１】
Ｓ１６０に進んだら、ヒータやデフォッガ駆動用の電力を、サブバッテリー６０７に蓄えられている電力に切り替える。
【００５２】
次にＳ１７０で、サブバッテリー６０７に蓄えられている電力を用いてヒータやデフォッガを駆動する。詳細は後述する。Ｓ１７０での処理は、駆動電力源をサブバッテリー６０７とする部分以外は、Ｓ１５０と同じである。
【００５３】
次にＳ１８０で、ヒータやデフォッガによる霜や雪の除去処理（防霜処理）の終了前にサブバッテリー残量がゼロとなったか否かを判定する。防霜処理終了前にサブバッテリー残量がゼロとなった場合（Ｓ１８０：ＹＥＳ）はＳ１９０に進み、サブバッテリーの電力量によって防霜処理が完了できた場合（Ｓ１８０：ＮＯ）は図４の処理を終了する。
【００５４】
Ｓ１９０では、ヒータやデフォッガに対する電力供給元を商用電力のコンセントに切り替えて、防霜処理を続ける。なお最初からサブバッテリー６０７の残量がゼロの場合、すなわちＳ１６０に進んだ時点でサブバッテリー６０７の残量がゼロの場合は、当然最初から商用電力のコンセントからの電力でヒータやデフォッガを駆動すればよい。以上が図４の処理である。
【００５５】
以上のとおり図３、４の処理では、ユーザが防霜処理を指令した時刻が深夜時間帯に含まれる場合は、プラグから供給されている電力を用いて防霜処理を実行し、防霜処理の指令時刻が深夜時間帯に含まれない場合は、サブバッテリーからの電力で防霜処理を実行する。そしてサブバッテリーの充電は深夜時間帯に行う。したがって安価な電力を有効に利用して防霜処理が実行できる。
【００５６】
図４の処理手順では、車両のプラグ６０５が商用電力のコンセントに装着した場合を想定しているが、本発明は、車両が停車中でかつプラグ６０５が商用電力のコンセントに装着していない場合も含むように拡張してよい。その場合、ユーザからのデフォッガ作動ボタン５０６による指令を受けたら、サブバッテリー６０７に蓄えられた電力を使用してヒータやデフォッガを駆動する。
【００５７】
もし防霜処理の途中でサブバッテリー６０７が残量ゼロとなったら（あるいは指令を受けた時点でサブバッテリー６０７が残量ゼロであったら）、防霜処理を中止する（実行しない）か、メインバッテリー６０６の電力を使用して防霜処理を実行するかのいずれかとする。これは、ユーザが例えば入力部４１１を用いて、プラグ６０５が装着されておらずサブバッテリー６０７が残量ゼロの場合には、防霜処理を中止する（実行しない）か、メインバッテリー６０６の電力を使用して防霜処理を実行するか、のうちどちらを選択するかを予め決めておくシステムとすればよい。
【００５８】
上記実施例ではフロントガラスとリアガラスのみの霜や雪の除去を実行しているが、本発明はこれに限定せず、車室内の暖房全般まで広げてもよい。あるいは車両のサイドガラス（ウィンドウ）近傍にもデフロスタ吹出口を備えて、ここから温風を送ってサイドガラスの霜や雪を除去することを含めてもよい。このように、Ｓ１５０やＳ１７０でどのような処理を実行するかは、ユーザが例えば入力部４１１を用いて設定できるとしてもよい。
【００５９】
上記実施例はメインバッテリーとは別にサブバッテリーを備える形態だが、これを単一のバッテリーのみを備える形態に変更してもよい。この場合、単一のバッテリーに蓄えられた電力のうちの所定割合を防霜処理のために優先的に使用すると決める。その所定割合が上記のサブバッテリーに相当するとすればよい。
【符号の説明】
【００６０】
１    空調システム
２    エアコンＥＣＵ
３    照合ＥＣＵ
４    エアコン部
５    リモコンキー
【図１】
0005454927.tif 000002
【図２】
0005454927.tif 000003
【図３】
0005454927.tif 000004
【図４】
0005454927.tif 000005